(57)【要約】【課題】生体認証用の認証カードの切り替えに際し、手続処理の煩雑化を抑制しながら、他人による成り済ましを防止することができるカード切替技術が提供される。【解決手段】カード切替装置１０は、旧カードＣｏを利用者から受け取る旧カード受渡部１２２と、利用者の生体物理量として掌静脈パターンを検出する静脈センサ部１４０と、検出した掌静脈パターンと、旧カードＣｏに記録されているテンプレートと、の間における同一性の存在を確認した場合に、新カードＣｎを発行する制御を行う主制御部１１０とを備える。【選択図】図２
2007257101.tif 000002
【特許請求の範囲】
【請求項１】
利用者の生体的な特徴を示すテンプレートが記録された生体認証用の認証カードを、旧カードから新カードに切り替えるカード切替装置であって、
前記旧カードを前記利用者から受け取る旧カード受取部と、
前記利用者の生体物理量を検出する生体センサ部と、
前記検出した生体物理量と、前記受け取った旧カードに記録されているテンプレートと、の間における同一性の存在を確認する同一性確認部と、
前記同一性の存在が確認された場合に、前記新カードを発行するカード発行部と
を備えるカード切替装置。
【請求項２】
請求項１記載のカード切替装置であって、
前記カード発行部は、
前記検出した生体物理量から新規のテンプレートを作成するテンプレート作成部と、
前記新規のテンプレートを、前記発行される新カードに記録するテンプレート記録部と
を含むカード切替装置。
【請求項３】
前記カード発行部は、前記受け取った旧カードに記録されているテンプレートを、前記発行される新カードに複写するテンプレート複写部を含む請求項１記載のカード切替装置。
【請求項４】
請求項１ないし３のいずれか記載のカード切替装置であって、
前記カード発行部は、
前記受け取った旧カードに記録されているテンプレートと、前記発行される新カードに記録されているテンプレートと、の間における同一性の存在を確認するテンプレート確認部と、
前記新旧カードのテンプレート間における同一性の存在が確認されない場合に、前記新カードの発行を禁止する発行禁止部と
を含むカード切替装置。
【請求項５】
前記カード発行部は、前記受け取った旧カードに記録されているテンプレートを、読み取り不可能に破壊するテンプレート破壊部を含む請求項１ないし４のいずれか記載のカード切替装置。
【請求項６】
請求項１ないし５のいずれか記載のカード切替装置であって、
前記カード発行部は、
前記検出した生体物理量とは種類が異なる他の生体物理量を検出する追加センサ部と、
前記検出した他の生体物理量に基づく生体情報から他のテンプレートを作成する追加作成部と、
前記他のテンプレートを、前記発行される新カードに記録する追加記録部と
を含むカード切替装置。
【請求項７】
請求項１ないし６のいずれか記載のカード切替装置であって、
更に、テンプレートが記録されていない生カードを前記利用者から受け取る生カード受取部を備え、
前記カード発行部は、前記受け取った生カードを、前記発行される新カードとして用意する新カード用意部を含むカード切替装置。
【請求項８】
請求項１ないし６のいずれか記載のカード切替装置であって、
更に、テンプレートが記録されていない生カードを予め格納する生カード格納部を備え、
前記カード発行部は、前記格納した生カードを、前記発行される新カードとして用意する新カード用意部を含む請求項１ないし６のいずれか記載のカード切替装置。
【請求項９】
現金取引に関する取引処理を行う現金自動取引装置であって、
前記取引処理に際し、利用者の生体的な特徴を示すテンプレートが記録された認証カードを用いて該利用者の本人認証を行う取引認証部と、
前記認証カードを旧カードから新カードに切り替えるカード切替部と
を備え、
前記カード切替部は、
前記旧カードを前記利用者から受け取る旧カード受取部と、
前記利用者の生体物理量を検出する生体センサ部と、
前記検出した生体物理量と、前記受け取った旧カードに記録されているテンプレートと、の間における同一性の存在を確認する同一性確認部と、
前記同一性の存在が確認された場合に、前記新カードを発行するカード発行部と
を含む現金自動取引装置。
【請求項１０】
利用者の生体的な特徴を示すテンプレートが記録された生体認証用の認証カードを取り扱う認証カードシステムにおいて、該認証カードを旧カードから新カードに切り替えるカード切替方法であって、
前記認証カードシステムの旧カード受取部が、前記旧カードを利用者から受け取る工程と、
前記認証カードシステムの生体センサ部が、前記利用者の生体物理量を検出する工程と、
前記認証カードシステムの同一性確認部が、前記検出した生体物理量と、前記受け取った旧カードに記録されているテンプレートと、の間における同一性の存在を確認する工程と、
前記認証カードシステムのカード発行部が、前記同一性の存在が確認された場合に、前記新カードを発行する工程と
を備えるカード切替方法。
【発明の詳細な説明】
【技術分野】
【０００１】
本発明は、生体認証（バイオメトリクス）技術に関し、特に、利用者の生体的な特徴を示す生体特徴量（テンプレート）が記録された生体認証用の認証カードを、旧カードから新カードに切り替えるカード切替技術に関する。
【背景技術】
【０００２】
生体認証技術としては、静脈パターン、指紋パターン、網膜パターン、虹彩パターン、声紋パターンなどの生体情報を利用したものが知られている。生体認証の方式としては、個人情報保護や管理コストなどの観点から、テンプレートが記録された認証カードを利用者に発行することによって、テンプレートの管理を利用者個人で行うものがある。利用者ではない他人による成り済ましを防止するため、例えば、金融機関では、生体認証用の認証カードを新規に発行する際に、金融機関の窓口担当者によって、運転免許証やパスポートなどの本人確認資料を用いて利用者本人であるかの確認が行われる。下記特許文献１には、認証カードを用いた生体認証技術が開示されている
【０００３】
【特許文献１】特開２００２−２４５３６号公報
【発明の開示】
【発明が解決しようとする課題】
【０００４】
生体認証用の認証カードは、不正使用や誤作動の防止などの観点から、定期的に新しいカードに切り替える必要がありながら、従来の生体認証技術では、生体認証用の認証カードの切り替えについては十分な検討はなされていなかった。特に、生体認証用の認証カードの切り替えに際しては、手続処理の煩雑化を避けつつ、他人による成り済ましを防止することが課題となる。
【０００５】
本発明は、上記した課題を踏まえ、生体認証用の認証カードの切り替えに際し、手続処理の煩雑化を抑制しながら、他人による成り済ましを防止することができるカード切替技術を提供することを目的とする。
【課題を解決するための手段】
【０００６】
上述した課題を解決するため、本発明のカード切替装置は、利用者の生体的な特徴を示すテンプレートが記録された生体認証用の認証カードを、旧カードから新カードに切り替えるカード切替装置であって、旧カードを利用者から受け取る旧カード受取部と、利用者の生体物理量を検出する生体センサ部と、検出した生体物理量と、受け取った旧カードに記録されているテンプレートと、の間における同一性の存在を確認する同一性確認部と、同一性の存在が確認された場合に、新カードを発行するカード発行部とを備えることを特徴とする。このカード切替装置によれば、旧カードを用いた生体認証を経て新カードを発行するため、手続処理の煩雑化を抑制しながら、他人による成り済ましを防止することができる。なお、生体認証に用いられる生体情報の種類としては、静脈パターン、指紋パターン、網膜パターン、虹彩パターン、声紋パターンの他、掌形パターン、顔パターン、署名、耳形状、ＤＮＡなど種々の生体情報を採用することができる。また、認証カードは、ＩＣ(Integrated Circuit)メモリを内蔵したＩＣカードであっても良い。
【０００７】
上述したカード切替装置は、以下の形態を採ることもできる。例えば、カード発行部は、検出した生体物理量から新規のテンプレートを作成するテンプレート作成部と、新規のテンプレートを、発行される新カードに記録するテンプレート記録部とを含むこととしても良い。これによって、利用者の身体状態による生体情報の変化に対応して、認証カードのテンプレートを更新することができるため、認証カードを用いた生体認証における認証精度を向上させることができる。
【０００８】
また、カード発行部は、受け取った旧カードに記録されているテンプレートを、発行される新カードに複写するテンプレート複写部を含むこととしても良い。これによって、認証カードの切り替えに際する手続処理を更に簡素化することができる。
【０００９】
また、カード発行部は、受け取った旧カードに記録されているテンプレートと、受け取った旧カードに記録されているテンプレートと、発行される新カードに記録されているテンプレートと、の間における同一性の存在を確認するテンプレート確認部と、新旧カードのテンプレート間における同一性の存在が確認されない場合に、新カードの発行を禁止する発行禁止部とを含むこととしても良い。これによって、認証カードの切り替え前後における他人による成り済ましの防止を強化することができる。
【００１０】
また、カード発行部は、受け取った旧カードに記録されているテンプレートを、読み取り不可能に破壊するテンプレート破壊部を含むこととしても良い。これによって、旧カードに記録されているテンプレートが不正に使用されることを防止することができる。旧カードに記録されているテンプレートの破壊は、旧カードを切断や焼却することによる物理的な破壊であっても良いし、テンプレートが記録された旧カードの記録領域にランダムなデータを上書きすることによる破壊であっても良いし、旧カードからテンプレートをソフトウェア的に削除することによる破壊であっても良い。
【００１１】
また、カード発行部は、検出した生体物理量とは種類が異なる他の生体物理量を検出する追加センサ部と、検出した他の生体物理量に基づく生体情報から他のテンプレートを作成する追加作成部と、他のテンプレートを、発行される新カードに記録する追加記録部とを含むこととしても良い。これによって、生体認証の認証精度を向上させるために、既存の生体認証システムから、他の生体認証技術を組み合わせた後継の生体認証システムへと移行する場合に、後継の生体認証システムに対応した新カードを発行することができる。
【００１２】
また、更に、テンプレートが記録されていない生カードを利用者から受け取る生カード受取部を備え、カード発行部は、受け取った生カードを、発行される新カードとして用意する新カード用意部を含むこととしても良い。これによって、新カードとなる生カードを利用者宛に郵送する手続を経ることによって本人確認が行われる場合であっても、カード切替装置において認証カードを切り替えることができる。
【００１３】
また、更に、テンプレートが記録されていない生カードを予め格納する生カード格納部を備え、カード発行部は、格納されている生カードを、発行される新カードとして用意する新カード用意部を含むこととしても良い。これによって、認証カードの切り替えに際する手続処理を更に簡素化することができる。
【００１４】
また、本発明の形態は、カード切替装置の形態に限るものではなく、例えば、認証カードを用いた現金取引に関する取引処理を行う現金自動取引装置や、認証カードを旧カードから新カードに切り替えるカード切替方法、認証カードを旧カードから新カードに切り替える機能をコンピュータに実現させるためのプログラム、そのプログラムをコンピュータ読み取り可能に記録した記録媒体などに適用することも可能である。また、本発明は、前述の形態に何ら限定されるものではなく、本発明の趣旨を逸脱しない範囲内において様々な形態で実施し得ることは勿論である。
【発明を実施するための最良の形態】
【００１５】
以上説明した本発明の構成および作用を一層明らかにするために、以下本発明を適用したカード切替装置について説明する。
【００１６】
Ａ．第１の実施例：
Ａ−１．カード切替装置の構成：
図１は、カード切替装置１０の外観構成を示す説明図である。図２は、カード切替装置１０の構成を機能的に示す説明図である。カード切替装置１０は、生体認証用の認証カードを旧カードＣｏから新カードＣｎに切り替える装置である。本実施例では、カード切替装置１０は、金融機関の窓口に設置され、利用者主体による認証カードの切り替え処理を取り扱う専用機器である。本実施例では、カード切替装置１０によって切替えられる認証カードは、ＩＣ(Integrated Circuit)メモリ（図示しない）を内蔵したＩＣカードであり、金融機関に設置された現金自動預払機（ＡＴＭ）において生体認証技術による本人認証を行なうために用いられる。本実施例の認証カードには、金融機関の顧客である利用者の掌静脈パターンの特徴を示すテンプレートが記録されている。
【００１７】
図１および図２のカード切替装置１０は、カード切替装置１０の各部を制御する主制御部１１０と、利用者との間で旧カードＣｏの受け渡しを行なう旧カード受渡部１２２と、主制御部１１０からの指示に基づいて、旧カード受渡部１２２に保持されている旧カードＣｏとの情報のやり取りを行なう旧カードインタフェース部（旧カードＩ／Ｆ部）１２０と、利用者との間で新カードＣｎの受け渡しを行なう新カード受渡部１３２と、主制御部１１０からの指示に基づいて、新カード受渡部１３２に保持されている新カードＣｎとの情報のやり取りを行なう新カードインタフェース部（新カードＩ／Ｆ部）１３０と、利用者の生体物理量として掌静脈パターンを検出する静脈センサ部１４０とを備える。本実施例では、カード切替装置１０は、利用者との間で情報のやり取りを行うユーザインタフェースとして、画像を表示するとともに利用者からの操作を受け付けるタッチパネル１９２と、音声を出力するスピーカ１９４とを備える。
【００１８】
カード切替装置１０の主制御部１１０は、セントラルプロセッシングユニット（Central Processing Unit、以下、ＣＰＵという）、リードオンリメモリ（Read Only Memory、以下、ＲＯＭという）、ランダムアクセスメモリ（Random Access Memory、以下、ＲＡＭという）などのハードウェアを備えるコンピュータであり、オペレーティングシステム（Operating System、ＯＳ）の他、種々のアプリケーションソフトウェア（Application Software）がインストールされている。本実施例では、主制御部１１０によって実現される種々の機能は、ソフトウェアに基づくＣＰＵの演算処理によって実現される。主制御部１１０の動作についての詳細は後述する。
【００１９】
カード切替装置１０の旧カードＩ／Ｆ部１２０および新カードＩ／Ｆ部１３０は、認証カードに内蔵されたＩＣチップに情報の読み書きを行なうＩＣカードリーダ・ライタをそれぞれ備える。本実施例では、旧カードＩ／Ｆ部１２０および新カードＩ／Ｆ部１３０は、認証カードと間でやり取りされる情報に暗号化を施すことによって、情報の漏洩や改ざんを防止する。カード切替装置１０の静脈センサ部１４０は、利用者の掌静脈パターンを撮影する血管パターン赤外線ＣＣＤカメラを備える。
【００２０】
Ｂ．カード切替装置１０の動作：
図３は、カード切替装置１０の主制御部１１０が実行するカード切替処理を示すフローチャートである。本実施例では、主制御部１１０は、タッチパネル１９２を介した利用者からの入力に基づいて、図３のカード切替処理を開始する。
【００２１】
主制御部１１０は、図３のカード切替処理を開始すると、タッチパネル１９２およびスピーカ１９４を通じて、旧カード受渡部１２２に旧カードＣｏを挿入するように利用者に対して要求し、旧カード受渡部１２２に挿入された旧カードＣｏを利用者から受け取る（ステップＳ１１０）。
【００２２】
その後、主制御部１１０は、タッチパネル１９２およびスピーカ１９４を通じて、静脈センサ部１４０に利用者の掌をかざすように利用者に対して要求し、利用者の生体物理量として、利用者の掌静脈パターンを静脈センサ部１４０で検出する（ステップＳ１２０）。
【００２３】
その後、主制御部１１０は、静脈センサ部１４０で検出した掌静脈パターンと、旧カード受渡部１２２で受け取った旧カードＣｏに記録されているテンプレートと、の間における同一性の存在を確認する（ステップＳ１３０）。本実施例では、掌静脈パターンにおける血管分岐点の位置、血管分岐点の分岐角度、血管分岐点間の血管長などの特徴量で、検出された掌静脈パターンとテンプレートとが比較され、両者の類似度に応じて同一性の有無が判断される。
【００２４】
本実施例では、主制御部１１０は、旧カードＩ／Ｆ部１２０を介して旧カードＣｏから読み出したテンプレートに、静脈センサ部１４０で検出した掌静脈パターンを照合することによって、同一性が存在するか否か、すなわち、利用者本人であるか否かを判断する。なお、他の実施形態として、主制御部１１０は、静脈センサ部１４０で検出した掌静脈パターンを旧カードＣｏに引き渡し、旧カードＣｏに組み込まれたアプリケーションプログラムによって判断された照合結果を、旧カードＣｏから受け取ることによって、同一性が存在するか否かを判断することとしても良い。
【００２５】
静脈センサ部１４０で検出した掌静脈パターンと、旧カード受渡部１２２で受け取った旧カードＣｏに記録されているテンプレートと、の間における同一性が存在しない場合、すなわち、利用者本人でないと判断した場合には（ステップＳ１３０）、主制御部１１０は、旧カード受渡部１２２から旧カードＣｏを排出することによって、旧カードＣｏを利用者に返却した後（ステップＳ１３７）、図３のカード切替処理を終了する。
【００２６】
一方、利用者本人であると判断した場合には（ステップＳ１３０）、主制御部１１０は、テンプレートが記録されていない生カードを新カードＣｎとして用意するために、タッチパネル１９２およびスピーカ１９４を通じて、テンプレートが記録されていない新カードＣｎを、新カード受渡部１３２に挿入するように利用者に対して要求し、新カード受渡部１３２に挿入された新カードＣｎを利用者から受け取る（ステップＳ１４０）。本実施例では、テンプレートが記録されていない新カードＣｎは、有効期限の迫った旧カードＣｏを有する利用者宛に金融機関から予め郵送された認証カードである。
【００２７】
主制御部１１０は、新カードＣｎを受け取った後（ステップＳ１４０）、旧カードＣｏのテンプレートとの照合のために静脈センサ部１４０で検出した掌静脈パターンに基づいて新規のテンプレートを作成し（ステップＳ１５０）、作成した新規のテンプレートを新カードＩ／Ｆ部１３０によって新カードＣｎに記録する（ステップＳ１５５）。なお、他の実施形態として、主制御部１１０は、新規のテンプレートを作成するために、再度、静脈センサ部１４０で掌静脈パターンを検出しても良い。
【００２８】
主制御部１１０は、新規のテンプレートを新カードＣｎに記録した後（ステップＳ１５５）、旧カードＣｏに記録されているテンプレートと新カードＣｎに記録されているテンプレートとの間における同一性の存在、すなわち、旧カードＣｏのテンプレートと新カードＣｎのテンプレートとが同一人物の生体物理量から作成されていることを確認する（ステップＳ１６０）。
【００２９】
旧カードＣｏのテンプレートと新カードＣｎのテンプレートとの間における同一性が存在しない場合には（ステップＳ１６０）、主制御部１１０は、同一性が確認できないテンプレートが記録された新カードＣｎの発行を禁止し（ステップＳ１６５）、テンプレートを新規に作成する処理（ステップＳ１５０）から再度やり直す。
【００３０】
一方、旧カードＣｏのテンプレートと新カードＣｎのテンプレートとの間における同一性が存在する場合には（ステップＳ１６０）、主制御部１１０は、旧カードＣｏにおけるテンプレートが記録された記録領域にランダムなデータを上書きすることによって、旧カードＣｏのテンプレートを不可逆的に破壊する（ステップＳ１７０）。
【００３１】
その後、主制御部１１０は、テンプレートが破壊された旧カードＣｏを排出することによって、旧カードＣｏを利用者に返却するとともに、テンプレートが記録された新カードＣｎを新カード受渡部１３２から排出することによって、新カードＣｎを利用者に発行した後（ステップＳ１８０）、図３のカード切替処理を終了する。
【００３２】
以上説明した第１の実施例におけるカード切替装置１０によれば、旧カードＣｏを用いた生体認証を経て（ステップＳ１３０）、新カードＣｎが発行されるため（ステップＳ１８０）、手続処理の煩雑化を抑制しながら、他人による成り済ましを防止することができる。また、新規に作成したテンプレートが新カードＣｎに記録されることによって（ステップＳ１５０，Ｓ１５５）、利用者の身体状態による生体情報の変化に対応して、認証カードのテンプレートを更新することができるため、認証カードを用いた生体認証における認証精度を向上させることができる。また、旧カードＣｏのテンプレートと新カードＣｎのテンプレートとの間における同一性が存在しない場合に、新カードＣｎの発行が禁止されるため（ステップＳ１６５）、認証カードの切り替え前後における他人による成り済ましの防止を強化することができる。また、新カードＣｎを発行する場合に、旧カードＣｏのテンプレートが破壊されるため（ステップＳ１７０）、旧カードＣｏに記録されているテンプレートが不正に使用されることを防止することができる。
【００３３】
Ｂ．第２の実施例：
第２の実施例におけるカード切替装置１０の構成は、第１の実施例と同様である。図４は、第２の実施例におけるカード切替装置１０の主制御部１１０が実行するカード切替処理を示すフローチャートである。第２の実施例のカード切替装置１０の動作は、旧カードＣｏに記録されているテンプレートを新カードＣｎに複写する点（ステップＳ２５０）以外は、第１の実施例と同様である。カード切替装置１０の主制御部１１０は、新カードＣｎを受け取った後（ステップＳ１４０）、旧カードＩ／Ｆ部１２０を通して旧カードＣｏから読み出したテンプレートを、新カードＩ／Ｆ部１３０を通して新カードＣｎに書き込む（ステップＳ２５０）。これによって、認証カードの切り替えに際する手続処理の煩雑化を抑制しながら、他人による成り済ましを防止することができる上、手続処理を更に簡素化することができる。
【００３４】
Ｃ．第３の実施例：
図５は、第３の実施例におけるカード切替装置３０の構成を機能的に示す説明図である。第３の実施例におけるカード切替装置３０の構成は、第１の実施例の主制御部１１０に代えて主制御部３１０を備える点、利用者の生体物理量として指紋パターンを検出する指紋センサ部３５０を更に備える点以外は、第１の実施例におけるカード切替装置１０と同様である。本実施例では、指紋センサ部３５０は、指に反射する光を撮影するＣＣＤカメラを備える光学方式の指紋センサであるが、指紋の凹凸をコンデンサ容量の差で検出する静電容量方式の指紋センサや、超音波を用いた超音波方式の指紋センサなど種々の指紋センサを用いても良い。
【００３５】
図６は、第３の実施例におけるカード切替装置３０の主制御部３１０が実行するカード切替処理を示すフローチャートである。第３の実施例のカード切替装置３０の動作は、追加のテンプレートを新カードＣｎに記録する点（ステップＳ３５０〜Ｓ３５５）以外は、第１の実施例と同様である。
【００３６】
カード切替装置３０の主制御部３１０は、旧カードＣｏのテンプレートと新カードＣｎのテンプレートとの間における同一性が存在する場合には（ステップＳ１６０）、タッチパネル１９２およびスピーカ１９４を通じて、指紋センサ部３５０に利用者の指をかざすように利用者に対して要求し、利用者の生体物理量として、利用者の指紋パターンを指紋センサ部３５０で検出する（ステップＳ３５０）。
【００３７】
その後、主制御部３１０は、指紋センサ部３５０で検出した指紋パターンに基づいて追加のテンプレートを作成し（ステップＳ３５２）、作成した追加のテンプレートを新カードＩ／Ｆ部１３０によって新カードＣｎに記録する（ステップＳ３５５）。
【００３８】
以上説明した第３の実施例におけるカード切替装置３０によれば、認証カードの切り替えに際する手続処理の煩雑化を抑制しながら、他人による成り済ましを防止することができる上、生体認証の認証精度を向上させるために既存の生体認証システムから他の生体認証技術を組み合わせた後継の生体認証システムへと移行する場合に、後継の生体認証システムに対応した新カードＣｎを発行することができる。
【００３９】
Ｄ．第４の実施例：
図７は、第４の実施例におけるカード切替装置４０の構成を機能的に示す説明図である。第４の実施例におけるカード切替装置４０の構成は、第１の実施例の主制御部１１０に代えて主制御部４１０を備える点、テンプレートが記録されていない生カードを予め格納する生カード格納部４３０を更に備える点以外は、第１の実施例におけるカード切替装置１０と同様である。本実施例では、カード切替装置４０の生カード格納部４３０は、カード切替装置４０の管理者によって、カード切替装置４０の外部から生カードの補充を受けると共に、主制御部４１０の指示に基づいて生カードに、口座番号や利用者名などの文字を打ち出すエンボス加工を施すことが可能である。
【００４０】
図８は、第４の実施例におけるカード切替装置４０の主制御部４１０が実行するカード切替処理を示すフローチャートである。第４の実施例のカード切替装置４０の動作は、新カードＣｎとして発行される生カードを生カード格納部４３０から繰り出して用意する点（ステップＳ４３０）以外は、第１の実施例と同様である。カード切替装置４０の主制御部４１０は、利用者本人であると判断した場合には（ステップＳ１３０）、テンプレートが記録されていない生カードを新カードＣｎとして用意するために、生カード格納部４３０に格納されている生カードを新カード受渡部１３２に搬送する（ステップＳ４３０）。本実施例では、生カード格納部４３０から新カード受渡部１３２に搬送される生カードは、生カード格納部４３０にて旧カードと同様のエンボス加工が施される。
【００４１】
以上説明した第４の実施例におけるカード切替装置４０によれば、認証カードの切り替えに際する手続処理の煩雑化を抑制しながら、他人による成り済ましを防止することができる上、手続処理を更に簡素化することができる。
【００４２】
Ｅ．第５の実施例：
図９は、第５の実施例におけるカード切替装置５０の構成を機能的に示す説明図である。第５の実施例におけるカード切替装置５０の構成は、第１の実施例の主制御部１１０に代えて主制御部５１０を備える点、新カードＣｎを発行する際に旧カードＣｏを物理的に細断する旧カード細断部５２０を更に備える点以外は、第１の実施例におけるカード切替装置１０と同様である。カード切替装置５０の主制御部５１０は、旧カードＣｏのテンプレートと新カードＣｎのテンプレートとの間における同一性が存在する場合には（ステップＳ１６０）、旧カード受渡部１２２に保持されている旧カードＣｏを旧カード細断部５２０に搬送し、ＩＣチップが物理的に破壊される程度の細かさで旧カードＣｏを旧カード細断部５２０によって切断する（ステップＳ１７０）。これによって、認証カードの切り替えに際する手続処理の煩雑化を抑制しながら、他人による成り済ましを防止することができる上、旧カードＣｏに記録されているテンプレートが不正に使用されることを確実に防止することができる。
【００４３】
Ｆ．その他の実施形態：
以上、本発明の実施の形態について説明したが、本発明はこうした実施の形態に何ら限定されるものではなく、本発明の趣旨を逸脱しない範囲内において様々な形態で実施し得ることは勿論である。例えば、カード切替装置を現金自動取引装置（ＡＴＭ）に組み込むこととしても良い。
【００４４】
図１０は、現金自動取引装置６０の外観構成を示す説明図である。現金自動取引装置６０は、現金に関する一連の取引処理として、銀行口座に入金手続を行う入金処理，銀行口座からの出金手続を行う出金処理，口座残高を照会する残高照会処理，銀行口座への振り込み手続を行う振込処理などの種々の処理を行う。現金自動取引装置６０は、現金自動取引装置６０の各部を制御する主制御部６１０と、旧カードＣｏおよび新カードＣｎを含む認証カードについての受け渡しおよび情報のやり取りを行なうカード機構部６２０と、利用者の生体物理量として掌静脈パターンを検出する静脈センサ部６４０と、画像を表示するとともに利用者からの操作を受け付けるタッチパネル６９２と、音声を出力するスピーカ６９４と、預金通帳についての受け渡しおよび通帳記入を行なう通帳機構部６７０と、取引情報が記入された取引明細票を発行する明細票機構部６７２と、入出金される紙幣を取り扱う紙幣機構部６８２と、入出金される硬貨を取り扱う硬貨機構部６８４とを備える。本実施例の現金自動取引装置６０の主制御部６１０は、図３のカード切替処理と同様にして、現金に関する一連の取引処理に用いるカード機構部６２０、静脈センサ部６４０、タッチパネル６９２、スピーカ６９４を利用した認証カードの切り替えを実現する。また、第２ないし５の少なくとも一つのカード切替装置を、現金自動取引装置６０に組み込むこととしても良い。
【００４５】
また、本実施例では、利用者の生体情報として、掌静脈パターンや指紋パターンを用いたが、網膜パターン、虹彩パターン、声紋パターンの他、掌形、顔パターン、署名、耳形状、ＤＮＡなど種々の生体情報を用いても良い。また、第３の実施例においては、追加のテンプレートを記録した生カードを新カードＣｎとして発行するのではなく、追加のテンプレートを記録した旧カードＣｏを新カードＣｎとして発行しても良い。
【図面の簡単な説明】
【００４６】
【図１】カード切替装置１０の外観構成を示す説明図である。
【図２】カード切替装置１０の構成を機能的に示す説明図である。
【図３】カード切替装置１０の主制御部１１０が実行するカード切替処理を示すフローチャートである。
【図４】第２の実施例におけるカード切替装置１０の主制御部１１０が実行するカード切替処理を示すフローチャートである。
【図５】第３の実施例におけるカード切替装置３０の構成を機能的に示す説明図である。
【図６】第３の実施例におけるカード切替装置３０の主制御部３１０が実行するカード切替処理を示すフローチャートである。
【図７】第４の実施例におけるカード切替装置４０の構成を機能的に示す説明図である。
【図８】第４の実施例におけるカード切替装置４０の主制御部４１０が実行するカード切替処理を示すフローチャートである。
【図９】第５の実施例におけるカード切替装置５０の構成を機能的に示す説明図である。
【図１０】現金自動取引装置６０の外観構成を示す説明図である。
【符号の説明】
【００４７】
１０，３０，４０，５０，６０…カード切替装置
１１０…主制御部
１２０…旧カードＩ／Ｆ部
１２２…旧カード受渡部
１３０…新カードＩ／Ｆ部
１３２…新カード受渡部
１４０…静脈センサ部
１９２…タッチパネル
１９４…スピーカ
３１０…主制御部
３５０…指紋センサ部
４１０…主制御部
４３０…生カード格納部
５１０…主制御部
５２０…旧カード細断部
６１０…主制御部
６２０…カード機構部
６４０…静脈センサ部
６７０…通帳機構部
６７２…明細票機構部
６８２…紙幣機構部
６８４…硬貨機構部
６９２…タッチパネル
６９４…スピーカ
Ｃｎ…新カード
Ｃｏ…カード
【図１】
2007257101.tif 000003
【図２】
2007257101.tif 000004
【図３】
2007257101.tif 000005
【図４】
2007257101.tif 000006
【図５】
2007257101.tif 000007
【図６】
2007257101.tif 000008
【図７】
2007257101.tif 000009
【図８】
2007257101.tif 000010
【図９】
2007257101.tif 000011
【図１０】
2007257101.tif 000012